(57)【要約】【課題】既存屋根の下面を天井で隠蔽するにあたり、野縁受けと野縁からなる天井下地や切削屑やその他の粉塵飛散の原因となるビス孔加工を不要にし、容易かつ短期間に天井を構築できるようにする。【解決手段】鋼製の母屋桁１に架設した石綿スレート屋根材を、母屋桁に下部を係止させたフックボルト３で固定した既設の石綿スレート屋根Ａの下面を天井Ｃで隠蔽するにあたり、母屋桁１に係止する吊下げ支持用の係止部１１と母屋桁の長手方向に開口した天井材保持用の溝部１２とが形成された吊り金具１３と、母屋桁の長手方向に並べて配置され、隣接し合う側縁に互いに嵌合し合う雌雄の嵌合部１４ａ，１４ｂが形成された天井材１５とを使用し、吊り金具を母屋桁に吊り下げ支持させ、吊り金具の溝部に天井材の側縁を挿入して、石綿スレート屋根に沿って傾斜した天井を構築する。【選択図】図１
2007255123.tif 000002
【特許請求の範囲】
【請求項１】
鋼製の母屋桁に架設した屋根材を、当該母屋桁に下部を係止させたフックボルトとそれに螺合するナットとで固定した既設の屋根の下面を天井で隠蔽する屋根の改修工法であって、前記母屋桁及び／又はフックボルトに係止する吊下げ支持用の係止部と母屋桁の長手方向に開口した天井材保持用の溝部とが形成された複数個の吊り金具と、母屋桁の長手方向に並べて配置され、隣接し合う側縁に互いに嵌合し合う雌雄の嵌合部が形成された複数枚の天井材とを使用し、係止部を母屋桁及び／又はフックボルトに引っ掛けることによって、吊り金具を母屋桁にその長手方向適当間隔おきに吊り下げ支持させ、各吊り金具の溝部に天井材の側縁を挿入して、既設の屋根に沿って傾斜した天井を構築することを特徴とする屋根の改修工法。
【請求項２】
カラー鋼板製天井材を用いることを特徴とする請求項１に記載の屋根の改修工法。
【請求項３】
カラー鋼板とその片面に積層した断熱材とからなる天井材を用いることを特徴とする請求項１に記載の屋根の改修工法。
【発明の詳細な説明】
【技術分野】
【０００１】
本発明は、屋根の改修工法に関し、詳しくは、鋼製の母屋桁に架設した屋根材（例えば折板屋根材や石綿スレート屋根材）を、当該母屋桁に下部を係止させたフックボルトとそれに螺合するナットとで固定した既設の屋根の下面を天井で隠蔽するようにした屋根の改修工法に関する。
【背景技術】
【０００２】
例えば、既設の石綿スレート屋根の上面を隠蔽してアスベストの封じ込めを行うようにした石綿スレート屋根の改修工法としては、特許文献１のように、鋼製の母屋桁に架設した石綿スレート屋根材を、当該母屋桁に下部を係止させたフックボルトとそれに螺合するナットとで固定した既存の石綿スレート屋根はそのままで、その上に、金属折板屋根を被せて施工する石綿スレート屋根の改修工法が既に確立している。
【０００３】
この工法は、既存石綿スレート屋根を撤去して、新たにノンアスベストスレートで仕上げる葺き替え工法に比べると、撤去時のアスベスト飛散、廃棄物処理など多くの面で優れており、また既存石綿スレート屋根の表面の汚れや劣化物を除去（高圧洗浄）して塗装で仕上げる塗装工法に比べると、耐用年数（アスベスト封じ込めの期間）において遥かに優れている。
【０００４】
しかしながら、この工法を石綿スレート屋根の下面が天井で覆われていない既存建屋に採用した場合、石綿スレート屋根の下面側についての何らかのアスベスト対策が必要となる。この対策としては、天井を構築することが最も有効であり、塗膜厚が薄くてアスベスト封じ込め期間が短い塗装工法よりも現実的であると考えられている。
【０００５】
しかしながら、石綿スレート屋根の下面が天井で覆われていない既存建屋に天井を構築するにあたって、例えば、特許文献１，２に見られるような一般的な工法によって天井を施工すると、次のような問題点を招来することになる。
【０００６】
第一に、石綿スレート屋根材を支持する母屋桁に吊りボルトを介して吊下げ支持された野縁受けと、それらに直交状態に取り付けた野縁とで水平な天井下地を構成し、この天井下地に天井材を取り付けて、水平な天井を構築することになるから、排水勾配の付いた石綿スレート屋根と水平な天井との間に広い天井裏空間が形成される分、建屋内の利用可能な空間が狭められることになる。
【０００７】
第二に、既存の石綿スレート屋根の上に金属折板屋根を被せて施工することによって屋根の荷重が増大しているところに、野縁受けと野縁からなる天井下地の重量が付加されることになり、大掛かりな構造補強が必要になる。
【０００８】
第三に、天井材又は天井材保持金具を野縁にビス止めすることになるので、現場でのドリルによるビス孔の加工が必要であり、ビス孔加工時の振動により粉塵が発生するので、粉塵中のアスベストの有無（アスベスト飛散）が問題となる。
【０００９】
【特許文献１】特許第３４８４６３０号公報
【特許文献２】特公平６−１０３８１号公報
【特許文献３】実公平７−３４９８９号公報
【発明の開示】
【発明が解決しようとする課題】
【００１０】
本発明は、上記の問題点を踏まえてなされたもので、その目的とするところは、鋼製の母屋桁に架設した屋根材を、当該母屋桁に下部を係止させたフックボルトとそれに螺合するナットとで固定した既設の屋根の下面を天井で隠蔽するにあたり、野縁受けと野縁からなる天井下地を不要にすると共に、母屋桁等に対するビス孔の加工を不要にして、ビス孔加工やその振動に起因する粉塵の発生やビス孔の加工による強度低下の心配をなくし、しかも、既存建屋内の利用可能な空間をさほど狭めることなく天井を容易かつ短期間に構築できるようにした屋根の改修工法を提供することにある。
【課題を解決するための手段】
【００１１】
上記の目的を達成するために、本発明が講じた技術的手段は、次の通りである。即ち、請求項１に記載の発明による屋根の改修工法は、鋼製の母屋桁に架設した屋根材を、当該母屋桁に下部を係止させたフックボルトとそれに螺合するナットとで固定した既設の屋根の下面を天井で隠蔽する屋根の改修工法であって、前記母屋桁及び／又はフックボルトに係止する吊下げ支持用の係止部と母屋桁の長手方向に開口した天井材保持用の溝部とが形成された複数個の吊り金具と、母屋桁の長手方向に並べて配置され、隣接し合う側縁に互いに嵌合し合う雌雄の嵌合部が形成された複数枚の天井材とを使用し、係止部を母屋桁及び／又はフックボルトに引っ掛けることによって、吊り金具を母屋桁にその長手方向適当間隔おきに吊り下げ支持させ、各吊り金具の溝部に天井材の側縁を挿入して、既設の屋根に沿って傾斜した天井を構築することを特徴としている。
【００１２】
天井材としては、カラー鋼板製天井材（請求項２）、カラー鋼板とその片面に積層した断熱材とからなる天井材（請求項３）、表裏のカラー鋼板とその間に介在された断熱材とからなる天井材等が軽量であるため、好適である。
【発明の効果】
【００１３】
上記の構成によれば、吊り金具の係止部を母屋桁及び／又はフックボルトに引っ掛けることによって、吊り金具を母屋桁に吊下げ支持させ、当該吊り金具の溝部に天井材の嵌合部を挿入して、既存屋根に沿って傾斜した天井を構築するので、野縁受けと野縁からなる水平な天井下地が省略されることになり、天井裏に広い空間が形成されないので、既存建屋内の利用可能な空間をさほど狭めることがない。
【００１４】
殊に、吊り金具の係止部を母屋桁及び／又はフックボルトに引っ掛け、吊り金具の溝部に天井材の嵌合部を挿入するだけで、既設の屋根に沿って傾斜した天井を構築できるので、母屋桁等に対するビス孔の加工が不要で、ビス孔加工による切削屑、ビス孔加工時の振動による粉塵の発生やビス孔の加工による強度低下がなく、しかも、ビス止めや溶接のような工具を用いた手間のかかる作業が不要であるから、容易かつ短期間に天井を構築できる等の効果があり、古い金属折板屋根の改修の他、古い石綿スレート屋根の改修（アスベスト対策）として有効である。
【発明を実施するための最良の形態】
【００１５】
図１〜図４は、既存の石綿スレート屋根Ａはそのままで、その上に、金属折板屋根Ｂを被せて施工した既存建屋を対象にして本発明に係る屋根の改修工法を実施した例を示す。石綿スレート屋根Ａは、図３に示すように、リップ溝形鋼よりなる母屋桁１に架設した断面波形の石綿スレート屋根材２を、当該母屋桁１の上側リップ部分１ａに下部を係止させたフックボルト３とそれに螺合するナット４とで固定して構成されている。金属折板屋根Ｂは、図３に示すように、フックボルト３の上端に螺着した長ナット５によってサドル部材６を石綿スレート屋根材２の山部に固定し、サドル部材６にビス７止めした通し母屋８に折板屋根材９をビス１０止めすることによって構成されている。
【００１６】
この実施形態は、上記の構成からなる既存建屋において、前記石綿スレート屋根Ａの下面を天井Ｃで隠蔽して、アスベストの屋内からの封じ込めを行うにあたり、前記母屋桁１の下側リップ部分１ｂに係止する吊下げ支持用の係止部１１と母屋桁１の長手方向に開口した天井材保持用の溝部１２とが形成された複数個の吊り金具１３と、母屋桁１の長手方向に並べて配置され、隣接し合う側縁に互いに嵌合し合う雌雄の嵌合部１４ａ，１４ｂが形成された複数枚の天井材１５とを使用し、係止部１１を母屋桁１の下側リップ部分１ｂに引っ掛けることによって、吊り金具１３を母屋桁１にその長手方向適当間隔おきに吊り下げ支持させ、各吊り金具１３の溝部１２に天井材１５側縁の嵌合部１４ａ，１４ｂを挿入して、石綿スレート屋根Ａに沿って傾斜した天井Ｃを構築している。
【００１７】
天井材１５を母屋桁１に吊り金具１３で取り付けていく作業は、図４において、右側から左側へと順次一枚ずつ行われるもので、母屋桁１に引っ掛けた吊り金具１３の溝部１２に天井材１５の一側縁の嵌合部１４ａを挿入し、次の天井材１５の他側縁の嵌合部１４ｂを、前記溝部１２に先行して挿入されている嵌合部１４ａに嵌合させた後、一側縁の嵌合部１４ａを次の吊り金具１３の溝部１２に挿入するといった手順により、天井材１５を幅方向に一枚ずつ連結していくことによって行われる。この場合、吊り金具１３は、係止部１１を母屋桁１の下側リップ部分１ｂに引っ掛けた状態にあり、母屋桁１の長手方向にスライド自在であるから、吊り金具１３の溝部１２に天井材１５の一側縁の嵌合部１４ａを挿入する作業を容易に行うことができる。
【００１８】
上記の構成によれば、吊り金具１３の係止部１１を母屋桁１の下側リップ部分１ｂに引っ掛けることによって、吊り金具１３を母屋桁１に吊下げ支持させ、当該吊り金具１３の溝部１２に天井材１５の嵌合部１４ａ，１４ｂを挿入して、石綿スレート屋根Ａに沿って傾斜した天井Ｃを構築するので、野縁受けと野縁からなる水平な天井下地が省略されることになり、天井裏に広い空間が形成されないので、既存建屋内の利用可能な空間をさほど狭めることがない。
【００１９】
しかも、吊り金具１３の係止部１１を母屋桁１に引っ掛け、吊り金具１３の溝部１２に天井材１５の嵌合部１４ａ，１４ｂを挿入するだけで、石綿スレート屋根Ａに沿って傾斜した天井Ｃを構築できるので、母屋桁１に対するビス孔の加工が不要で、ビス孔加工時の振動による粉塵（アスベストの含有が心配になる粉塵）の発生やビス孔の加工による強度低下がなく、しかも、ビス止めや溶接のような工具を用いた手間のかかる作業が不要であるから、容易かつ短期間に天井を構築できる等の効果がある。
【００２０】
天井材１５としては、隣接し合う側縁に互いに嵌合し合う雌雄の嵌合部１４ａ，１４ｂを有し、且つ、吊り金具１３の溝部１２に嵌合部１４ａ，１４ｂを挿入して固定することが可能なものであれば、如何なる材料のものであってもよいが、図示の例では、従来、カラー鋼板製サイディング材として製造されたものをそのままカラー鋼板製天井材１５として使用している。
【００２１】
図５は、他の実施形態を示し、天井材１５として、カラー鋼板１５ａとその片面に積層した断熱材（例えば、ロックウールボード）１５ｂとからなる防火性能や断熱性能に優れた天井材を用いた点に特徴がある。天井材１５の側縁には、雌雄の嵌合部１４ａ，１４ｂと吊り金具１３の溝部１２に挿入する係止片１５ｃが形成されている。１４ｃは雌の嵌合部１４ａの内部に嵌め込まれたパッキンである。その他の構成は、先の実施形態と同じであるため、同一構成部材に同一符号を付し、説明を省略する。
【００２２】
前記吊り金具１３は、図６に示すように、一枚の鉄板を折曲加工して作製されたものであって、幅広の上板部１３ａとその一側縁から下方へＵ字状に折曲連設された幅狭の下板部１３ｂとで前記溝部１２を形成すると共に、上板部１３ａの端部１３ｃを中程から上方へ直角に切り起こし、その上端部１３ｄを切り起こし方向と逆方向に折り返して、前記係止部１１を形成してある。
【００２３】
図７は、吊り金具１３の他の例を示し、上板部１３ａの端部１３ｃを上方へ直角に切り起こして、その上端部１３ｄを切り起こし方向に折り返して、前記係止部１１を形成した点に特徴がある。その他の構成は、図６の吊り金具１３と同じである。
【００２４】
図８、図９は、吊り金具１３の他の例を示し、上板部１３ａと、上板部１３ａから切りおこされた板部と、下方へ折り返された上端部１３ｄとにわたって連続した補強リブａをプレス加工等により形成すると共に、下方へ折り返された上端部１３ｄの先端（係止部１１の開口端）に、内側へ湾曲したくびれ部ｂを形成した点に特徴がある。
【００２５】
図１０、図１１は、吊り金具１３の他の例を示し、下方へ折り返された上端部１３ｄの先端（係止部１１の開口端）に内側へ湾曲したくびれ部ｂを形成すると共に、下板部１３ｂの先端（溝部１２の開口端）に内側へ湾曲したくびれ部ｃを形成した点に特徴がある。
【００２６】
図１２、図１３は、吊り金具１３の他の例を示し、下方へ折り返された上端部１３ｄの先端（係止部１１の開口端）に内側へ折り返された折り返し部ｄを形成すると共に、下板部１３ｂの先端（溝部１２の開口端）に内側へ折り返された折り返し部ｅを形成した点に特徴がある。
【００２７】
図８〜図１３に示したように、係止部１１の開口端や溝部１２の開口端に、くびれ部や折り返し部を形成することによって、母屋桁１や天井材１５に対する係合を強固に行えることになる。
【００２８】
図１４は、吊り金具１３の他の例を示し、上板部１３ａの中央部を上方へ直角に切り起こして、その上端部１３ｄを切り起こし方向と逆方向に折り返して、前記係止部１１を形成した点に特徴がある。図示しないが、上端部１３ｄを切り起こし方向に折り返して、前記係止部１１を形成してもよい。
【００２９】
図１５は吊り金具１３の他の例を示し、上板部１３ａの先端から上方へ直角に折曲連設した立ち上がり板部１３ｅの一部に切欠き１３ｆを設けて前記係止部１１を形成した点に特徴がある。
【００３０】
図１６〜図２０は、吊り金具１３の他の例を示す。この吊り金具１３は、母屋桁１が溝形鋼である場合に使用されるもので、母屋桁１の下フランジ部１ｅ及びフックボルト３に係止する吊下げ支持用の係止部１１と母屋桁１の長手方向に開口した天井材保持用の溝部１２とを形成した点に特徴がある。
【００３１】
母屋桁１が溝形鋼である場合、図１９に示すように、石綿スレート屋根材２は母屋桁（溝形鋼）１の上フランジ部１ｃで支持される。フックボルト３は、母屋桁（溝形鋼）１のウエブ１ｄの背面に沿わせる垂直軸部（ネジ軸部）３ａと、その下端から直角に折れ曲がった水平軸部３ｂと、その先端から上方へ直角に折れ曲がった立ち上がり軸部３ｃとで構成され、水平軸部３ｂ及び立ち上がり軸部３ｃを母屋桁１の下フランジ部１ｅに下方から係止させるように構成される。これに対応して、吊り金具１３には、母屋桁１の下フランジ部１ｅに係止する第一の係止部１１と、フックボルト３の水平軸部３ｂに係止する第二の係止部１１とが形成されている。
【００３２】
即ち、上板部１３ａとその一側縁から下方へＵ字状に折曲連設された下板部１３ｂとで天井材保持用の溝部１２を形成し、上板部１３ａと、その一端から上方へ折れ曲がった立ち上がり板部１３ｇと、その上端から上板部１３ａの上面側へ折れ曲がった折曲板部１３ｈとで母屋桁１の下フランジ部１ｅに係止する第一の係止部１１を形成してある。上板部１３ａの他端には、上板部１３ａの幅方向中央部から直角に立ち上がった立ち上がり板部１３ｉとそれに二枚重ね状に折り重ねられた立ち上がり板部１３ｊとが折曲連設され、これらの立ち上がり板部１３ｉ，１３ｊ間にフックボルト３の垂直軸部３ａに母屋桁１の長手方向から嵌合する縦溝部１３ｋを形成してある。立ち上がり板部１３ｉ，１３ｊの縦溝部１３ｋを形成する部分は、上板部１３ａの幅方向端縁よりも突出しており、この突出した立ち上がり板部１３ｉの下縁をフックボルト３の水平軸部３ｂに係止する第二の係止部１１に形成してある。
【００３３】
図１６〜図１８に示した吊り金具１３は、図２１に示すように、第一の係止部１１を母屋桁１の下フランジ部１ｅに係止させつつ吊り金具１３全体を下フランジ部１ｅの先端部まわりに回転させるようにして、立ち上がり板部１３ｉ，１３ｊをウエブ１ｄの背面に沿わせ、この状態で、吊り金具１３を母屋桁１の長手方向にスライドさせることにより、図１９に示すように、縦溝部１３ｋをフックボルト３の垂直軸部３ａに嵌合させて、吊り金具１３の位置決めを行うことができる。
【００３４】
この状態においては、第一の係止部１１が母屋桁１の下フランジ部１ｅに係止し、第二の係止部（突出した立ち上がり板部１３ｉの下縁）１１がフックボルト３の水平軸部３ｂに係止しているので、吊り金具１３が母屋桁１に吊下げ支持されることになり、溝部１２に挿入保持された天井材１５の重量を支えることができる。
【００３５】
尚、フックボルト３のピッチと天井材１５の幅とが合致しない場合には、図２２、図２３に示すように、母屋桁（溝形鋼）１の下フランジ部１ｅにのみ係止する係止部１１と天井材保持用の溝部１２とを有する別の吊り金具１３を併用して、天井材１５を保持すればよい。
【００３６】
図２４〜図２８は、吊り金具１３の他の例を示す。この吊り金具１３は、母屋桁１が山形鋼である場合に使用されるもので、フックボルト３のみに係止する吊下げ支持用の係止部１１と母屋桁１の長手方向に開口した天井材保持用の溝部１２とを形成した点に特徴がある。
【００３７】
母屋桁１が山形鋼である場合、図２７に示すように、石綿スレート屋根材２は母屋桁（山形鋼）１の水平板部１ｆで支持される。フックボルト３は、母屋桁（山形鋼）１の垂直板部１ｇの背面に沿わせる垂直軸部（ネジ軸部）３ａと、その下端から斜め上方に折れ曲がった折曲軸部３ｄとで構成され、折曲軸部３ｄを母屋桁１の垂直板部１ｇに下方から係止させるように構成されることになる。また、母屋桁１が山形鋼である場合、吊り金具１３を山形鋼に直接引っ掛けることができないので、吊り金具１３には、フックボルト３の垂直軸部（ネジ軸部）３ａと折曲軸部３ｄとの曲り部に係止する係止部１１が形成されることになる。
【００３８】
具体的には、上板部１３ａとその一側縁から下方へＵ字状に折曲連設された下板部１３ｂとで天井材保持用の溝部１２を形成し、上板部１３ａの一端に、上板部１３ａの幅方向中央部から直角に立ち上がった立ち上がり板部１３ｉとそれに二枚重ね状に折り重ねられた立ち上がり板部１３ｊとが折曲連設され、これらの立ち上がり板部１３ｉ，１３ｊ間にフックボルト３の垂直軸部３ａに母屋桁１の長手方向から嵌合する縦溝部１３ｋを形成してある。立ち上がり板部１３ｉ，１３ｊの縦溝部１３ｋを形成する部分は、上板部１３ａの幅方向端縁よりも突出しており、この突出した立ち上がり板部１３ｉの下縁をフックボルト３の垂直軸部３ａと折曲軸部３ｄとの曲り部に係止する係止部１１に形成してある。
【００３９】
従って、吊り金具１３を母屋桁（山形鋼）１の長手方向にスライドさせることにより、図２７、図２８に示すように、縦溝部１３ｋをフックボルト３の垂直軸部３ａに嵌合させて、吊り金具１３の位置決めを行い、且つ、係止部（立ち上がり板部１３ｉの下縁）１１をフックボルト３の垂直軸部３ａと折曲軸部３ｄとの曲り部に係止させて、吊り金具１３を母屋桁１に吊下げ支持させることができる。
【００４０】
尚、以上の実施形態では、既存の石綿スレート屋根Ａを例にとって本発明の屋根の改修工法を説明したが、本発明が既存の金属折板屋根の改修工法として実施できることは勿論である。
【図面の簡単な説明】
【００４１】
【図１】本発明に係る石綿スレート屋根の改修工法を説明する概略斜視図である。
【図２】母屋桁と直行する方向から見た屋根及び天井の概略縦断面正面図である。
【図３】要部の縦断側面図である。
【図４】要部の縦断正面図である。
【図５】他の実施形態を示す要部の縦断正面図である。
【図６】本発明に係る屋根の改修工法に用いられる吊り金具の一例を示す斜視図である。
【図７】吊り金具の他の例を示す斜視図である。
【図８】吊り金具の他の例を示す斜視図である。
【図９】図８の吊り金具の側面図である。
【図１０】吊り金具の他の例を示す正面図である。
【図１１】図１０の吊り金具の側面図である。
【図１２】吊り金具の他の例を示す正面図である。
【図１３】図１２の吊り金具の側面図である。
【図１４】吊り金具の他の例を示す斜視図である。
【図１５】吊り金具の他の例を示す斜視図である。
【図１６】吊り金具の他の例を示す平面図である。
【図１７】図１６の吊り金具の側面図である。
【図１８】図１６の吊り金具の正面図である。
【図１９】図１６の吊り金具の使用状態を示す要部の縦断側面図である。
【図２０】図１６の吊り金具の使用状態を示す要部の平面図である。
【図２１】図１６の吊り金具の装着方法の説明図である。
【図２２】吊り金具の他の例を説明する側面図である。
【図２３】図２２の吊り金具の正面図である。
【図２４】吊り金具の他の例を示す平面図である。
【図２５】図２４の吊り金具の側面図である。
【図２６】図２４の吊り金具の正面図である。
【図２７】図２４の吊り金具の使用状態を示す要部の縦断側面図である。
【図２８】図２４の吊り金具の使用状態を示す要部の平面図である。
【符号の説明】
【００４２】
Ａ  石綿スレート屋根
Ｂ  金属折板屋根
Ｃ  天井
１  母屋桁
２  石綿スレート屋根材
３  フックボルト
４  ナット
１１  係止部
１２  溝部
１３  吊り金具
１４ａ，１４ｂ  嵌合部
１５  天井材
【図１】
2007255123.tif 000003
【図２】
2007255123.tif 000004
【図３】
2007255123.tif 000005
【図４】
2007255123.tif 000006
【図５】
2007255123.tif 000007
【図６】
2007255123.tif 000008
【図７】
2007255123.tif 000009
【図８】
2007255123.tif 000010
【図９】
2007255123.tif 000011
【図１０】
2007255123.tif 000012
【図１１】
2007255123.tif 000013
【図１２】
2007255123.tif 000014
【図１３】
2007255123.tif 000015
【図１４】
2007255123.tif 000016
【図１５】
2007255123.tif 000017
【図１６】
2007255123.tif 000018
【図１７】
2007255123.tif 000019
【図１８】
2007255123.tif 000020
【図１９】
2007255123.tif 000021
【図２０】
2007255123.tif 000022
【図２１】
2007255123.tif 000023
【図２２】
2007255123.tif 000024
【図２３】
2007255123.tif 000025
【図２４】
2007255123.tif 000026
【図２５】
2007255123.tif 000027
【図２６】
2007255123.tif 000028
【図２７】
2007255123.tif 000029
【図２８】
2007255123.tif 000030